(57)【要約】【課題】採血管の処理漏れや紛失の発生を短時間で検知する。【解決手段】医療機関端末１１０と検査機関端末２１０は、無線タグ付き採血管１０のライフサイクルの工程毎に、カードリーダー１１１、２１１によって無線タグから採血管ＩＤを読み取り、採血管ＩＤとその読み取り時刻および読み取り工程とを含むトレース情報をトレーサビリティサーバ３１０に送信する。トレーサビリティサーバ３１０は、受信したトレース情報をトレーサビリティテーブル３３０に記憶する。監視サーバ３５０は、工程毎に、次の工程までの待機可能時間と処理内容とを含む判定情報を判定情報テーブル３７０に記憶している。監視サーバ３５０の判定部３５１は、トレーサビリティテーブル３３０のトレース情報に含まれる読み取り時刻から経過した時間が判定情報テーブル３７０の判定情報に含まれる待機可能時間を超えている場合に、判定情報に含まれる処理内容で示される処理を実行する。【選択図】図１
2016091220.tif 000002
【特許請求の範囲】
【請求項１】
医療機関端末と、検査機関端末と、トレーサビリティサーバと、監視サーバとを有する採血管ライフサイクル監視システムであって、
前記医療機関端末と前記検査機関端末とが、
無線タグ付き採血管の無線タグから当該無線タグ付き採血管を一意に識別する採血管識別情報を読み取るカードリーダーと、
前記無線タグ付き採血管のライフサイクルの工程毎に、前記カードリーダーによって読み取られた採血管識別情報と、当該採血管識別情報が読み取られた時刻を示す読み取り時刻と、当該採血管識別情報が読み取られた工程を示す読み取り工程とを含むトレース情報を前記トレーサビリティサーバに送信するトレース情報送信手段と、
を備え、
前記トレーサビリティサーバが、前記医療機関端末または前記検査機関端末から送信されたトレース情報を記憶するトレース情報記憶手段を備え、
前記監視サーバが、
各前記無線タグ付き採血管のライフサイクルの工程毎に次の工程までの待機可能時間と、処理内容とを含む判定情報を記憶する判定情報記憶手段と、
前記無線タグ付き採血管毎に、前記トレース情報記憶手段によって最後に記憶されたトレース情報に含まれる読み取り時刻から経過した時間が、前記判定情報記憶手段によって記憶されている判定情報に含まれる待機可能時間を超えている場合に、前記無線タグ付き採血管の処理漏れや紛失の恐れがあると判断し、前記判定情報に含まれる処理内容で示される処理を実行する判定部と、
を備える、
ことを特徴とする採血管ライフサイクル監視システム。
【請求項２】
前記監視サーバが、前記トレース情報に基づいて複数の前記無線タグ付き採血管を検査が同時に進むグループにグルーピングする条件を示すグルーピング条件と、各グループ内で同一の工程にない無線タグ付き採血管の有無を判断する条件を示す判定条件と、処理内容とを含むグルーピング判定情報を記憶するグルーピング判定情報記憶手段を備え、
前記監視サーバの判断部が、前記トレーサビリティサーバのトレース情報記憶手段によって記憶されているトレース情報と前記グルーピング判定情報記憶手段によって記憶されているグルーピング判定情報に含まれるグルーピング条件とに基づいて、前記複数の無線タグ付き採血管を複数のグループにグルーピングし、当該グループ毎に前記グルーピング判定情報に含まれる判定条件に基づいて各グループ内で同一の工程にない無線タグ付き採血管のうち、前記トレース情報に含まれる読み取り工程が無線タグ付き採血管のライフサイクルの前段の工程にあたるものは処理漏れや紛失の恐れがあると判断し、前記グルーピング判定情報に含まれる処理内容で示される処理を実行する、
ことを特徴とする請求項１に記載の採血管ライフサイクル監視システム。
【請求項３】
医療機関端末または検査機関端末が、カードリーダーによって無線タグ付き採血管の無線タグから当該無線タグ付き採血管を一意に識別する採血管識別情報を読み取る採血管識別情報読取ステップと、
前記医療機関端末または前記検査機関端末が、前記無線タグ付き採血管のライフサイクルの工程毎に、前記カードリーダーによって読み取られた採血管識別情報と、当該採血管識別情報が読み取られた時刻を示す読み取り時刻と、当該採血管識別情報が読み取られた工程を示す読み取り工程とを含むトレース情報をトレーサビリティサーバに送信するトレース情報送信ステップと、
前記トレーサビリティサーバが、前記医療機関端末または前記検査機関端末から送信されたトレース情報を記憶するトレース情報記憶ステップと、
監視サーバが、各前記無線タグ付き採血管のライフサイクルの工程毎に次の工程までの待機可能時間と、処理内容とを含む判定情報を記憶する判定情報記憶ステップと、
前記監視サーバが、前記無線タグ付き採血管毎に、前記トレース情報記憶ステップにおいて最後に記憶されたトレース情報に含まれる読み取り時刻から経過した時間が、前記判定情報記憶ステップにおいて記憶された判定情報に含まれる待機可能時間を超えている場合に、前記無線タグ付き採血管の処理漏れや紛失の恐れがあると判断し、前記判定情報に含まれる処理内容で示される処理を実行する判定ステップと、
を備えることを特徴とする採血管ライフサイクル監視方法。
【発明の詳細な説明】
【技術分野】
【０００１】
本発明は、医療機関に配布した採血管の使用状況(採血から検査・廃棄まで)を管理する採血管管理（採血管トレーサビリティ）が行われていることを前提とし、検体（採血管）の処理漏れや紛失が発生していないか監視する採血管ライフサイクル監視システムおよび採血管ライフサイクル監視方法に関する。
【背景技術】
【０００２】
病院その他の医療機関では、患者の症状に基づき所定の血液検査を行い、その検査結果に基づき患者を診断する。患者から採取された血液は、採血管と呼ばれる容器に収納される。採血管は、あらかじめ検査機関から医療機関に配布される。医療機関では、検査項目に応じた種別の採血管に採血を行い、検査依頼書を作成して検査機関に送る。検査機関は、送られてきた採血管と検査依頼書を照合し、検査依頼書で指示されている血液検査を行い、その検査結果を病院に報告する。このように採血管に対して、医療機関への配布から採血、検査機関への搬送、検査機関での到着確認、血液検査、保管、廃棄という一連の処理が行われる。
【０００３】
従来、非接触型の無線タグ（ＲＦタグ）を採血管に張り付けて、採血管のトレーサビリティを実現するシステムが知られている（例えば、特許文献１と特許文献２を参照）。
【先行技術文献】
【特許文献】
【０００４】
【特許文献１】国際公開ＷＯ２０１０／１１９９０９号明細書
【特許文献２】特許５３５４５０９号公報
【発明の概要】
【発明が解決しようとする課題】
【０００５】
特許文献１と特許文献２に記載のシステムでは、採血管のライフサイクルの各工程において取得した情報をデータベースに登録していく。しかし、検体（採血管）の保管や搬送待ち等と、検体の処理漏れや紛失等とは、次の工程がデータベースに登録されないという点では同様である。このため、ライフサイクルの各工程でデータを登録していくだけでは、紛失したのか、次の工程が行われていないだけなのか判断できず、検体の処理漏れや紛失が発生していても、即座に気付き迅速に対応することができない。
【０００６】
本発明の目的は、採血管(検体)の処理漏れや紛失の発生を短時間で検知することができる採血管ライフサイクル監視システムおよび採血管ライフサイクル監視方法を提供することである。
【課題を解決するための手段】
【０００７】
上記目的を達成するために、本発明の採血管ライフサイクル監視システムは、
医療機関端末と、検査機関端末と、トレーサビリティサーバと、監視サーバとを有する採血管ライフサイクル監視システムであって、
前記医療機関端末と前記検査機関端末とが、
無線タグ付き採血管の無線タグから当該無線タグ付き採血管を一意に識別する採血管識別情報を読み取るカードリーダーと、
前記無線タグ付き採血管のライフサイクルの工程毎に、前記カードリーダーによって読み取られた採血管識別情報と、当該採血管識別情報が読み取られた時刻を示す読み取り時刻と、当該採血管識別情報が読み取られた工程を示す読み取り工程とを含むトレース情報を前記トレーサビリティサーバに送信するトレース情報送信手段と、
を備え、
前記トレーサビリティサーバが、前記医療機関端末または前記検査機関端末から送信されたトレース情報を記憶するトレース情報記憶手段を備え、
前記監視サーバが、
各前記無線タグ付き採血管のライフサイクルの工程毎に次の工程までの待機可能時間と、処理内容とを含む判定情報を記憶する判定情報記憶手段と、
前記無線タグ付き採血管毎に、前記トレース情報記憶手段によって最後に記憶されたトレース情報に含まれる読み取り時刻から経過した時間が、前記判定情報記憶手段によって記憶されている判定情報に含まれる待機可能時間を超えている場合に、前記無線タグ付き採血管の処理漏れや紛失の恐れがあると判断し、前記判定情報に含まれる処理内容で示される処理を実行する判定部と、
を備える、
ことを特徴とする。
【０００８】
好ましくは、本発明の採血管ライフサイクル監視システムは、
前記監視サーバが、前記トレース情報に基づいて複数の前記無線タグ付き採血管を検査が同時に進むグループにグルーピングする条件を示すグルーピング条件と、各グループ内で同一の工程にない無線タグ付き採血管の有無を判断する条件を示す判定条件と、処理内容とを含むグルーピング判定情報を記憶するグルーピング判定情報記憶手段を備え、
前記監視サーバの判断部が、前記トレーサビリティサーバのトレース情報記憶手段によって記憶されているトレース情報と前記グルーピング判定情報記憶手段によって記憶されているグルーピング判定情報に含まれるグルーピング条件とに基づいて、前記複数の無線タグ付き採血管を複数のグループにグルーピングし、当該グループ毎に前記グルーピング判定情報に含まれる判定条件に基づいて各グループ内で同一の工程にない無線タグ付き採血管のうち、前記トレース情報に含まれる読み取り工程が無線タグ付き採血管のライフサイクルの前段の工程にあたるものは処理漏れや紛失の恐れがあると判断し、前記グルーピング判定情報に含まれる処理内容で示される処理を実行する、
ことを特徴とする。
【０００９】
また、本発明の採血管ライフサイクル監視方法は、
医療機関端末または検査機関端末が、カードリーダーによって無線タグ付き採血管の無線タグから当該無線タグ付き採血管を一意に識別する採血管識別情報を読み取る採血管識別情報読取ステップと、
前記医療機関端末または前記検査機関端末が、前記無線タグ付き採血管のライフサイクルの工程毎に、前記カードリーダーによって読み取られた採血管識別情報と、当該採血管識別情報が読み取られた時刻を示す読み取り時刻と、当該採血管識別情報が読み取られた工程を示す読み取り工程とを含むトレース情報をトレーサビリティサーバに送信するトレース情報送信ステップと、
前記トレーサビリティサーバが、前記医療機関端末または前記検査機関端末から送信されたトレース情報を記憶するトレース情報記憶ステップと、
監視サーバが、各前記無線タグ付き採血管のライフサイクルの工程毎に次の工程までの待機可能時間と、処理内容とを含む判定情報を記憶する判定情報記憶ステップと、
前記監視サーバが、前記無線タグ付き採血管毎に、前記トレース情報記憶ステップにおいて最後に記憶されたトレース情報に含まれる読み取り時刻から経過した時間が、前記判定情報記憶ステップにおいて記憶された判定情報に含まれる待機可能時間を超えている場合に、前記無線タグ付き採血管の処理漏れや紛失の恐れがあると判断し、前記判定情報に含まれる処理内容で示される処理を実行する判定ステップと、
を備えることを特徴とする。
【発明の効果】
【００１０】
本発明によれば、採血管(検体)の処理漏れや紛失の発生を短時間で検知することができる。
【図面の簡単な説明】
【００１１】
【図１】本発明の実施形態に係る採血管ライフサイクル監視システムの構成の一例を示す図である。
【図２】無線タグ付き採血管のライフサイクルの一例を示すフローチャートである。
【図３】トレーサビリティテーブルで管理するトレース情報の一例を示す図である。
【図４】判定情報テーブルの構成の一例を示す図である。
【図５】判定部による無線タグ付き採血管毎の判断の処理の一例を示すフローチャートである。
【図６】グルーピング判定情報テーブルの構成の一例を示す図である。
【図７】判定部が無線タグ付き採血管をグルーピングして検体の処理漏れや紛失の恐れの有無を判断する処理の一例を示すフローチャートである。
【発明を実施するための形態】
【００１２】
以下、本発明の実施形態に係る採血管ライフサイクル監視システムおよび採血管ライフサイクル監視方法について、図面を参照しながら説明する。なお、実施形態を説明する全図において、共通の構成要素には同一の符号を付し、繰り返しの説明を省略する。
【００１３】
図1は、本発明の実施形態に係る採血管ライフサイクル監視システム１の構成の一例を示す。
採血管ライフサイクル監視システム１は、医療機関端末１１０と、検査機関端末２１０と、トレーサビリティサーバ３１０と、監視サーバ３５０とを有する。医療機関端末１１０と、検査機関端末２１０と、トレーサビリティサーバ３１０と、監視サーバ３５０とは、ネットワーク４００に接続されており、ネットワーク４００を介して相互にデータを送受信することができる。ただし、これらは、専用線を介してデータを送受信してもよい。
【００１４】
医療機関端末１１０は、医療機関１００に設置されている。なお、図1では１つの医療機関のみが示されているが、複数の医療機関が採血管ライフサイクル監視システム１に含まれていてもよい。
医療機関端末１１０には、カードリーダー１１１が接続されている。カードリーダー１１１は、無線タグ付き採血管１０から無線タグに記録されている情報を読み取る。
医療機関1００では、医師が検査依頼書を作成し、医師の指示のもとに患者から採血を行い、検査機関２００より配布された無線タグ付き採血管１０に患者から採血した検体を回収する。医療機関端末１１０は、採血の前後で無線タグ付き採血管１０の無線タグからカードリーダー１１１で情報を読み取る。医療機関端末１１０は、カードリーダー１１１で読み取った情報をネットワーク４００を経由してデータセンタ３００に設置されているトレーサビリティサーバ３１０に送信する。トレーサビリティサーバ３１０は、受信した情報をトレーサビリティＤＢ（データベース）３２０のトレーサビリティテーブル３３０に格納する。
【００１５】
検査機関端末２１０は、検査機関２００に設置されている。検査機関２００にも、カードリーダー２１１が接続されている。カードリーダー２１１は、医療機関1００より回収した無線タグ付き採血管１０の無線タグから情報を読み取る。検査機関端末２１０も、カードリーダー２１１で読み取った情報をトレーサビリティサーバ３１０に送信する。トレーサビリティサーバ３１０は、受信した情報をトレーサビリティＤＢ３２０トレーサビリティテーブル３３０に格納する。
【００１６】
トレーサビリティサーバ３１０と監視サーバ３５０は、データセンタ３００に設置されている。
トレーサビリティサーバ３１０は、トレーサビリティＤＢ３２０を有する。トレーサビリティＤＢ３２０には、図３のトレーサビリティテーブル３３０が格納されている。トレーサビリティサーバ３１０は、無線タグ付き採血管１０のライフサイクルにおける各工程を追跡し、無線タグ付き採血管１０が各工程に到着した時刻や位置等の状態を含むトレース情報をトレーサビリティテーブル３３０に記録する。
【００１７】
監視サーバ３５０は、判定部３５１と、監視ＤＢ３６０とを有する。監視ＤＢ３６０には、図４の判定情報テーブル３７０と、図６のグルーピング判定情報テーブル３８０と、監視状況テーブル３９０とが格納されている。
判定部３５１の機能は、監視サーバ３５０のＣＰＵ（Ｃｅｎｔｒａｌ  Ｐｒｏｃｅｓｓｉｎｇ  Ｕｎｉｔ）が主メモリに記憶されている判定プログラムを実行することにより実現される。
判定部３５１は、一定周期で、判定情報テーブル３７０とグルーピング判定情報テーブル３８０に記録されている条件に基づいてトレーサビリティテーブル３３０に記録されている無線タグ付き採血管１０の状態を解析し、検体の処理漏れや紛失の恐れがあるか否かを判定する。判定部３５１は、判定結果を監視状況テーブル３９０に格納する。
また、判定情報テーブル３７０とグルーピング判定情報テーブル３８０には、判定部３５１が医療機関１００と検査機関２００に通知するメッセージや判定部３５１の行う所定の処理の内容が記録されている。メッセージの内容は、処理漏れや紛失の恐れがあるとして条件毎に無線タグ付き採血管１０の所在確認や処理状況の確認を促すものである。判定部３５１は、検体の処理漏れや紛失の恐れがあると判定した場合に、そのメッセージを医療機関１００と検査機関２００に送信する。医療機関１００や検査機関２００の担当者がそのメッセージを読むことによって、検体の処理漏れや紛失の可能性を減少させることができる。
【００１８】
本実施形態では、判定部３５１は、検体の処理漏れや紛失の恐れの有無について、無線タグ付き採血管１０毎の判断と、採血日時や依頼元医療機関等で無線タグ付き採血管１０をグルーピングして行う判断との２種類の判断を行う。
一つ目の無線タグ付き採血管１０毎の判断では、判定部３５１は、図４の判定情報テーブル３７０に記録された条件に基づいて判断する。判定情報テーブル３７０には、無線タグ付き採血管１０のライフサイクルの工程毎に次の工程までの待機可能時間が記録されている。判定部３５１は、処理漏れや紛失の恐れの有無を判定する時に、検体（無線タグ付き採血管１０）毎にトレーサビリティテーブル３３０に最後に登録された工程における無線タグの読み取り時刻から経過した時間が待機可能時間を超えている場合、検体の処理漏れや紛失の恐れがあると判断する。
【００１９】
二つ目の採血日時や依頼元医療機関等で無線タグ付き採血管１０をグルーピングして行う判断では、判定部３５１は、図６のグルーピング判定情報テーブル３８０に記録された条件に基づいて判断する。グルーピング判定情報テーブル３８０には、無線タグ付き採血管１０をグループ化するグルーピング条件が記憶されている。そのグルーピング条件は、例えば、医療機関、検査項目、採血日時等検体の検査が同時に進むような単位である。判定部３５１は、処理漏れや紛失の恐れの有無を判定する時に、各工程の処理状況をグループ単位で確認し、グループ内で同一の処理状況にない無線タグ付き採血管１０は処理漏れや紛失の恐れがあると判断する。
例えば、医療機関１００での依頼時には１０本あった無線タグ付き採血管１０が検査機関２００への到着確認時にグループ内で仲間はずれであるとき(例えば、１検体だけ到着確認が行われないとき等)に、判定部３５１は検体の処理漏れや紛失の恐れがあると判断する。
【００２０】
なお、図１では、トレーサビリティサーバ３１０と監視サーバ３５０を分離しているが、両サーバの機能を単一のコンピュータで実現してもよく、監視サーバ３５０の判定部３５１がトレーサビリティＤＢ３２０と監視ＤＢ３６０に格納されている情報を取得することができれば、物理的な構成は問わない。また、判定部３５１の処理結果は監視サーバ３５０の出力部に出力してもよいし、検査機関端末２１０に送信してもよい。
【００２１】
図２は、無線タグ付き採血管１０のライフサイクルの一例を示す。
図２に示すライフサイクルの各工程においてカードリーダーにより無線タグからデータが読み取られて、トレース情報がトレーサビリティＤＢ３２０のトレーサビリティテーブル３３０に格納される。
まず、検査機関２００より医療機関１００に各種の無線タグ付き採血管１０が配布される（Ｓ１０１）。次に、医療機関１００において医療従事者によって患者から採血され、検体が無線タグ付き採血管１０に回収される（Ｓ１０２）。医療機関１００で採血された無線タグ付き採血管１０は、検査機関２００の回収担当者に回収されて検査機関２００へと搬送される。回収担当者が医療機関１００で無線タグ付き採血管１０を確認した際に、無線タグ付き採血管１０の無線タグを読み込み、無線タグ付き採血管１０を確認する（Ｓ１０３）。検査機関２００の回収担当者が回収した無線タグ付き採血管１０は検査機関２００の検査施設に搬送されて到着した際には、無線タグ付き採血管１０の到着確認が行われ、紛失がないか確認される（Ｓ１０４）。そして、検査機関２００の検査施設において検査前に検査項目の確認、検体(無線タグ付き採血管１０)の確認のために無線タグがカードリーダーに読み取られる（Ｓ１０５）。検査後、無線タグ付き採血管１０は再検査等に備えて一定期間保管される（Ｓ１０６）。既定の保管期間を経過した検体(無線タグ付き採血管１０)は、廃棄される（Ｓ１０７）。
【００２２】
図３は、トレーサビリティテーブル３３０で管理するトレース情報の一例を示す。
トレース情報は、採血管ＩＤ３３１と、読み取り時刻３３２と、読み取り工程３３３と、患者氏名３３４と、採血量３３５と、検査項目３３６と、医療機関３３７とを含む。
採血管ＩＤ（Ｉｄｅｎｔｉｆｉｅｒ）３３１は、無線タグ付き採血管１０を一意に識別する識別情報である。
読み取り時刻３３２は、無線タグ付き採血管１０の無線タグをカードリーダーで読み取った時刻を示す。
読み取り工程３３３は、カードリーダーで無線タグ付き採血管１０の無線タグを読み取った業務工程を示す。
患者氏名３３４は、無線タグ付き採血管１０に採取された検体の患者の氏名を示す。
採血量３３５は、無線タグ付き採血管１０に採取された採血量を示す。
検査項目３３６は、無線タグ付き採血管１０に採取された検体で行う検査の項目を示す。
医療機関３３７は、採血を行った医療機関を一意に特定できる情報を格納する。
採血管トレーサビリティでは、図２に示した無線タグ付き採血管１０のライフサイクルの各工程において、医療機関１００や検査機関２００で無線タグをカードリーダーで読み取り、医療機関端末１１０や検査機関端末２１０が読み取った情報をトレーサビリティサーバ３１０に送信する。トレーサビリティサーバ３１０は、図３に示すトレース情報をトレーサビリティＤＢ３２０のトレーサビリティテーブル３３０に登録する。
【００２３】
図４は、判定情報テーブル３７０の構成の一例を示す。
判定部３５１は、検体の処理漏れや紛失の恐れの有無について無線タグ付き採血管１０毎に判断するときに判定情報テーブル３７０を使用する。
判定情報テーブル３７０は、判定条件ＩＤ３７１と、工程３７２と、次の工程３７３と、次の工程までの待機可能時間３７４と、処理内容３７５との各項目を有する。
判定条件ＩＤ３７１は、判定条件を一意に特定する識別情報である。
工程３７２は、図２に示したライフサイクルの工程を示す。
次の工程３７３は、工程３７２の次に行われる工程を示す。
次の工程までの待機可能時間３７４は、トレーサビリティテーブル３３０に工程３７２が登録されてから次の工程３７３が登録されるまでの制限時間を示す。次の工程までの待機可能時間３７４を超えても、トレーサビリティテーブル３３０に次の工程３７３が登録されない場合に、判定部３５１は、検体の処理漏れや紛失の恐れがあると判断する。
処理内容３７５は、判定部３５１が検体の処理漏れや紛失の恐れがあると判断した場合に、判定部３５１が監視サーバ３５０のディスプレイ等に表示するメッセージや実行する所定の処理を示す。
【００２４】
図５は、判定部３５１による無線タグ付き採血管１０毎の判断の処理の一例を示す。
判定部３５１は、まず各無線タグ付き採血管１０の最新処理状況をトレーサビリティテーブル３３０から取得する（Ｓ２０１）。
次に、判定部３５１は、無線タグ付き採血管１０毎に判定情報テーブル３７０を検索し、取得した最新処理状況が判定条件のいずれかに一致するか否か判断する（Ｓ２０２）。たとえば、図３において、採血管ＩＤ３３１＝「採血管ＩＤ４」のトレース情報は、読み取り工程３３３が「採血Ｂ」までしか登録されていない。この場合、図４において、判定条件ＩＤ３７１＝「判定条件ＩＤ２」の工程３７２が「採血Ｂ」で読み取り工程３３３と一致する。判定条件ＩＤ３７１＝「判定条件ＩＤ２」の次の工程までの待機可能時間３７４は５０分にされているため、２０１４年１月１日の１０時５１分以降に、判定部３５１がトレーサビリティテーブル３３０の監視を行うと、判定部３５１は検体の処理漏れか紛失の恐れがあると判定する（Ｓ２０２：Ｙｅｓ）。
検体の処理漏れか紛失の恐れがあると判定されると、判定部３５１は、判定条件ＩＤ３７１の処理内容３７５に設定されている処理を実行する（Ｓ２０３）。判定条件ＩＤ３７１＝「判定条件ＩＤ２」の処理内容３７５には『次のメッセージを監視サーバに表示「警告！＊＊＊＊」』と設定されているため、判定部３５１は、「警告！＊＊＊＊」を監視サーバ３５０のディスプレイ等に表示する。これにより、監視サーバ３５０のユーザに無線タグ付き採血管１０の確認などの作業を促す。
次に、判定部３５１は、ステップＳ２０１で取得した全無線タグ付き採血管１０が判定処理済みかチェックする（Ｓ２０４）。全無線タグ付き採血管１０の判定処理が終わっていない場合（Ｓ２０４：Ｎｏ）、判定部３５１は、ステップＳ２０１からＳ２０４を繰り返し実行する。全採血管が判定処理済の場合（Ｓ２０４：Ｙｅｓ）、判定部３５１は、次の定期監視時間まで待機し、監視時間となったらステップＳ２０１から繰り返す（Ｓ２０５）。
【００２５】
図６は、グルーピング判定情報テーブル３８０の構成の一例を示す。
判定部３５１は、検体の処理漏れや紛失の恐れの有無について無線タグ付き採血管１０をグルーピングして判断するときにグルーピング判定情報テーブル３８０を使用する。
グルーピング判定情報テーブル３８０は、グルーピングＩＤ３８１と、グルーピング名３８２と、グルーピング条件Ａ３８３と、グルーピング条件Ｂ３８４と、グルーピング条件Ｃ３８５と、判定条件３８６と、処理内容３８７との各項目を有する。
グルーピングＩＤ３８１は、グルーピング条件を一意に識別する識別情報である。
グルーピング名３８２は、グルーピングの名前を示す。グルーピング名３８２は、グルーピング内容を人が判別しやすくするためのものである。
グルーピング条件Ａ３８３とグルーピング条件Ｂ３８４とグルーピング条件Ｃ３８５は、無線タグ付き採血管１０をグルーピングする条件である。判定部３５１は、定期監視実行時に、グルーピング条件Ａ３８３とグルーピング条件Ｂ３８４とグルーピング条件Ｃ３８５が全て同一の無線タグ付き採血管１０を１つのグループにグルーピングする。例えば、グルーピングＩＤ３８１＝「グルーピングＩＤ１」では、医療機関と検査項目と採血日が同じ無線タグ付き採血管１０が１つのグループにグルーピングされる。また、グルーピングＩＤ３８１＝「グルーピングＩＤ２」では、検査項目と採血日が同じ無線タグ付き採血管１０が１つのグループにグルーピングされる。なお、採血日時は、例えば、図３のトレーサビリティテーブル３３０において読み取り工程３３３が採血Ａまたは採血Ｂである場合の読み取り時刻３３２であり、採血日は読み取り時刻３３２の属する日である。
判定条件３８６は、１つのグループにグルーピングされた無線タグ付き採血管１０の中に処理漏れや紛失の恐れがあるものが存在すると判定される条件を示す。判定条件３８６の一例は、同一グループの無線タグ付き採血管１０が２以上の読み取り工程３３３にあり、その中の最終の読み取り工程３３３にある無線タグ付き採血管１０の読み取り時刻３３２と監視サーバ３５０による監視時刻との差が所定の制限時間を超えていること等である。
処理内容３８７は、処理漏れや紛失の恐れがあると判定された場合に、判定部３５１が監視サーバ３５０のディスプレイ等に表示するメッセージや判定部３５１が実行する処理を示す。処理内容３８７の内容は、任意であり、別システムと連携を行うことや、パトランプの点灯やメールによる警告などグルーピング条件や判定条件３８６に応じた処理内容を設定できるものとする。また、図６では、具体的に示しているグルーピング条件は３つ（グルーピング条件Ａ３８３と、グルーピング条件Ｂ３８４と、グルーピング条件Ｃ３８５）までであるが、その数は任意に設定することができる。
【００２６】
図７は、判定部３５１が無線タグ付き採血管１０をグルーピングして検体の処理漏れや紛失の恐れの有無を判断する処理の一例を示す。
判定部３５１は、監視ＤＢのグルーピング判定情報テーブル３８０からグルーピング条件Ａ３８３とグルーピング条件Ｂ３８４とグルーピング条件Ｃ３８５を取得する（Ｓ３０１）。次に、判定部３５１は、一定周期毎に、トレーサビリティＤＢ３２０のトレーサビリティテーブル３３０のトレース情報に基づいて、取得したグルーピング条件で無線タグ付き採血管１０をグルーピングする（Ｓ３０２）。
そして、判定部３５１は、グループ毎に無線タグ付き採血管１０の読み取り工程３３３がグループ内で異なっているものがあるか確認する（Ｓ３０３）。異なっている無線タグ付き採血管１０がある場合（Ｓ３０３；Ｙｅｓ）、判定部３５１は、最終の読み取り工程３３３にある各無線タグ付き採血管１０の読み取り時刻３３２と監視時刻の差が所定の制限時間外であるか確認する（Ｓ３０４）。
【００２７】
確認した結果、所定の制限時間内であれば（Ｓ３０４：Ｎｏ）、判定部３５１は該当のグループが業務処理中であると判定する。所定の制限時間外の場合（Ｓ３０４：Ｙｅｓ）、判定部３５１は、業務処理中のためにグループ内に複数の工程が存在するのではないと判断し、グルーピングした無線タグ付き採血管１０内で読み取り工程３３３がライフサイクルの前段の工程にあたるものは処理漏れや紛失の恐れがあると判定する。そして、判定部３５１は、処理内容３８７の項目に設定した処理を実行する（Ｓ３０５）。
次に、判定部３５１は、グルーピングＩＤ３８１毎にステップＳ３０３からステップＳ３０５までの処理を実行済か確認する（Ｓ３０６）。未処理のグルーピング条件（グルーピングＩＤ３８１）があれば（Ｓ３０６：Ｎｏ）、判定部３５１はステップＳ３０３からステップＳ３０５を繰り返し実行する。グルーピング条件を全てチェック済であれば（Ｓ３０６：Ｎｏ）、判定部３５１は次の定期監視実行まで処理待ちとなる（Ｓ３０７）。
【００２８】
グルーピングと判定処理を具体的に示すと、図６のグルーピングＩＤ３８１＝「グルーピングＩＤ１」のグルーピング条件で図３に示したトレーサビリティテーブル３３０のトレース情報をグルーピングした場合、まず医療機関Ａと医療機関Ｂに分けられる。この場合、医療機関Ａのグループには採血管ＩＤ１と採血管ＩＤ２が振り分けられ、医療機関Ｂのグループには採血管ＩＤ３と採血管ＩＤ４が振り分けられる。次に検査項目と採血日でグルーピングするが、これらは採血管ＩＤ１〜採血管ＩＤ４で同一である。このため、判定部３５１は、採血管ＩＤ１と採血管ＩＤ２のグループ、および採血管ＩＤ３と採血管ＩＤ４のグループに振り分ける（Ｓ３０２）。
それぞれの無線タグ付き採血管１０の最終の読み取り工程３３３を確認すると、採血管ＩＤ１は到着確認であり、採血管ＩＤ２は検査機関による回収Ａである。採血管ＩＤ１と採血管ＩＤ２は、同一の医療機関Ａから検査機関に回収された無線タグ付き採血管１０であるため、同一工程にあることが期待されるが、トレーサビリティテーブル３３０に登録されている読み取り工程３３３が異なる（Ｓ３０３：Ｙｅｓ）。ただし、監視したタイミングに採血管ＩＤ２の到着確認処理中であり、採血管ＩＤ２の到着確認の直前に監視処理した可能性もある。このため、採血管ＩＤ１の最終の読み取り時刻３３２と監視処理を行った時刻を比較する。比較を行う際、例えば、最終の読み取り時刻３３２と監視時刻の差が1時間（所定の制限時間）以内であれば、到着確認処理中であるとみなす（Ｓ３０４：Ｎｏ）。この処理中と判定する時間は、あくまで一例であり判定部３５１に任意に設定できるものとする。
この場合、採血管ＩＤ１の最終読み取り時刻は「２０１４／１／１  １２：００：００」であるため、監視時刻が「２０１４／１／１  １３：００：０１」以降であれば、判定部３５１は採血管ＩＤ１と採血管ＩＤ２のグループの到着確認処理は終了しているものと判断する。そして、判定部３５１は、到着確認の工程が登録されていない採血管ＩＤ２の無線タグ付き採血管１０は処理漏れや紛失の恐れがあるとして現物確認をうながすようなメッセージを監視サーバ３５０のディスプレイに表示する（Ｓ３０５）。
【００２９】
なお、図４の判定情報テーブル３７０と、図６のグルーピング判定情報テーブル３８０は表形式で示しているが、判定条件の表現、管理はリレーショナルデータベースが必須ではなく、ＸＭＬ形式やＣＳＶ形式など、判定条件を規則性のある書式で記述でき、判定部３５１が解析できる書式であればよい。
【００３０】
以上説明したように、本発明によれば、恒常的に採血管(検体)の状況を監視するため、採血管(検体)の処理漏れや紛失の発生を短時間で検知することができる。
この場合、業務処理漏れは多数ある採血管を順次処理(ＲＦＩＤの読み取りなど)していく際の読み飛ばし、また、採血管の紛失は採血管の移送時の置き忘れなどが考えられる。しかし、恒常的に採血管のトレース情報の更新状況を監視(チェック)することで、処理漏れや置き忘れの疑いがある検体を見つけだすことができる。
また、トレーサビリティサーバに登録されている最終の更新状況から、最後に採血管を確認した場所と日時や、次に行うべき工程の情報を同時に取得でき、処理漏れした工程や紛失(置き忘れ)した場所などを容易に特定することが可能となる。
この結果、採血管の処理漏れや、採血管の紛失に気付かない状況の発生を防ぐことができ、採血管の管理品質を向上することができる。
【符号の説明】
【００３１】
１…採血管ライフサイクル監視システム、１０…無線タグ付き採血管、１００…医療機関、１１０…医療機関端末、１１１…カードリーダー、２００…検査機関、２１０…検査機関端末、２１１…カードリーダー、３００…データセンタ、３１０…トレーサビリティサーバ、３２０…トレーサビリティＤＢ、３３０…トレーサビリティテーブル、３５０…監視サーバ、３５１…判定部、３６０…監視ＤＢ、３７０…判定情報テーブル、３８０…グルーピング判定情報テーブル、３９０…管監視状況テーブル、４００…ネットワーク
【図１】
2016091220.tif 000003
【図２】
2016091220.tif 000004
【図３】
2016091220.tif 000005
【図４】
2016091220.tif 000006
【図５】
2016091220.tif 000007
【図６】
2016091220.tif 000008
【図７】
2016091220.tif 000009